【事件の表示】
　特願２０１４−２４７７５９「画像処理装置、画像処理方法及びコンピュータプログラム」拒絶査定不服審判事件〔平成２８年　６月２０日出願公開、特開２０１６−１１０４１６、請求項の数（６）〕について、次のとおり審決する。
【結　論】
　原査定を取り消す。
　本願の発明は、特許すべきものとする。
【理　由】
第１　手続の経緯
　本願は、平成２６年１２月８日の出願であって、平成２７年１２月２４日付けで拒絶理由が通知され、平成２８年２月２６日付けで手続補正がされ、平成２８年３月１４日付けで拒絶査定がされたものである。
　本件は、上記拒絶査定を不服として、平成２８年６月２０日付けで請求された拒絶査定不服審判であり、請求と同時に手続補正がされ、その後、当審において、平成２８年８月２４日付けで拒絶理由（以下、「当審拒絶理由」という。）が通知され、平成２８年１０月２８日付けで手続補正がされたものである。
第２　本願発明
　本願の請求項１ないし６に係る発明は、平成２８年１０月２８日付けの手続補正で補正された特許請求の範囲の請求項１ないし６に記載された事項により特定される以下のものと認められる。
　なお、本願の請求項１に係る発明（以下、「本願発明」という。）のＡ〜Ｊについては、説明のために当審にて付したものである。
（以下、「構成Ａ」、・・・、「構成Ｊ」という。）
「【請求項１】
Ａ　マトリクス状に配列した複数の画素からなる一連の複数の画像を取得する手段と、
Ｂ　取得された複数の画像に撮影されている人物の顔及び該顔内の器官の領域を特定する特定手段とを備え、
Ｃ　予め記憶されているリップ、チーク、カラーコンタクト、アイライン、又はつけまつげの写真画像である化粧用画像を前記特定手段により特定された領域に重畳させる画像処理装置において、
Ｄ　前記複数の画像夫々について、該画像に写っている人物が複数である場合、複数の顔領域に対し、前記特定手段が特定した領域に基づき、該特定した領域に対応する化粧用画像の前記画像上の位置、大きさ、又は角度を決定する決定手段と、
Ｅ　該決定手段が決定した大きさ又は角度に基づき、前記特定した領域に対応する化粧用画像の一部又は全部を拡縮又は回転して変形する変形手段と、
Ｆ　前記決定手段が決定した位置及び前記変形手段で変形された化粧用画像を記憶する手段と、
Ｇ　複数の人物からの個別の操作を受け付ける画面上にて夫々、前記複数の画像の内の１つの画像毎に、前記化粧用画像の重畳対象として画像内で特定された複数の人物の顔の領域の内の１つを個別に選択するか、前記複数の人物の顔の領域全てとするかの選択を受け付ける個別／全部選択手段と、
Ｈ　該個別／全部選択手段にて個別に選択することが選択された場合に、前記１つの画像に写っている前記複数の顔領域の内、重畳対象とする顔領域を１つずつ切り替える切替手段と、
Ｉ　前記個別／全部選択手段にて受け付けた選択に応じて全ての顔領域又は前記切替手段により切り替えられた１つの重畳対象の顔領域に対し、前記決定手段により決定した位置に、変形された化粧用画像を重畳させる重畳手段と
Ｊ　を備えることを特徴とする画像処理装置。
　【請求項２】
　前記重畳手段により前記化粧用画像が重畳された後、前記複数の画像の内のいずれか１つの画像に対して前記個別／全部選択手段にて再度選択を受け付け、
　該個別／全部選択手段にて異なる選択を受け付けた場合、該異なる選択に応じて１又は複数の領域に対し、前記重畳手段により化粧用画像を再重畳させる
　ことを特徴とする請求項１に記載の画像処理装置。
　【請求項３】
　取得された画像及び重畳される画像を表示する表示手段と、
　重畳された後の前記化粧用画像を、ボリュームの多少、透明度、濃淡、明暗、又は混色割合を複数段階に変更させ、段階順に前記表示手段に表示させ、表示させた複数段階の前記化粧用画像から何れかの選択を受け付ける選択手段と
　を更に備えることを特徴とする請求項１又は２に記載の画像処理装置。
　【請求項４】
　前記化粧用画像のボリュームの多少、透明度、濃淡、明暗、又は混色割合を複数段階に変更させて夫々記憶しておく段階別画像記憶手段を備え、
　前記選択手段は、記憶してある複数段階の化粧用画像を段階順に前記段階別画像記憶手段から取得して表示する
　ことを特徴とする請求項３に記載の画像処理装置。
　【請求項５】
　マトリクス状に配列した複数の画素からなる一連の複数の画像を取得し、取得した複数の画像に撮影されている人物の顔及び該顔内の器官の領域を特定し、予め記憶されているリップ、チーク、カラーコンタクト、アイライン、又はつけまつげの写真画像である化粧用画像を特定された領域に重畳させる画像処理方法において、
　前記複数の画像夫々について、該画像に写っている人物が複数である場合、複数の顔領域における特定された領域に基づき、該特定された領域に対応する化粧用画像の前記画像上の位置、大きさ、又は角度を決定するステップ、
　決定された大きさ又は角度に基づき、前記特定された領域に対応する化粧用画像の一部又は全部を拡縮又は回転するステップ、
　決定された位置、及び、拡縮又は回転された前記化粧用画像を記憶するステップ、
　複数の人物からの個別の操作を受け付ける画面上にて夫々、前記複数の画像の内の１つの画像毎に、前記化粧用画像の重畳対象として画像内で特定された複数の人物の顔の領域の内の１つを個別に選択するか、前記複数の人物の顔の領域全てとするかの選択を受け付ける個別／全部選択ステップ、
　該個別／全部選択ステップにて個別に選択することが選択された場合に、前記１つの画像に写っている前記複数の顔領域の内、重畳対象とする顔領域を１つずつ切り替える操作を受け付けるステップ、並びに、
　前記個別／全部選択ステップにて受け付けた選択に応じて全ての顔領域又は切り替えられた１つの重畳対象の顔領域に対し、決定された位置に、拡縮又は回転された化粧用画像を重畳させるステップ
　を含むことを特徴とする画像処理方法。
　【請求項６】
　コンピュータに、マトリクス状に配列した複数の画素からなる一連の複数の画像を取得させ、取得された複数の画像に撮影されている人物の顔及び該顔内の器官の領域を特定させ、予め記憶されているリップ、チーク、カラーコンタクト、アイライン、又はつけまつげの写真画像である化粧用画像を特定された領域に重畳させるコンピュータプログラムにおいて、
　前記コンピュータに、
　前記複数の画像夫々について、該画像に写っている人物が複数である場合、複数の顔領域における特定された領域に基づき、該特定された領域に対応する化粧用画像の前記画像上の位置、大きさ、又は角度を決定するステップ、
　決定された大きさ又は角度に基づき、前記特定された領域に対応する化粧用画像の一部又は全部を拡縮又は回転するステップ、
　決定された位置、および、拡縮又は回転された前記化粧用画像を記憶するステップ、
　複数の人物からの個別の操作を受け付ける画面上にて夫々、前記複数の画像の内の１つの画像毎に、前記化粧用画像の重畳対象として画像内で特定された複数の人物の顔の領域の内の１つを個別に選択するか、前記複数の人物の顔の領域全てとするかの選択を受け付ける個別／全部選択ステップ、
　該個別／全部選択ステップにて個別に選択することが選択された場合に、前記１つの画像に写っている前記複数の顔領域の内、重畳対象とする顔領域を１つずつ切り替える操作を受け付けるステップ、並びに、
　前記個別／全部選択ステップにて受け付けた選択に応じて全ての顔領域又は切り替えられた１つの重畳対象の顔領域に対し、決定された位置に、拡縮又は回転された化粧用画像を重畳させるステップ
　を実行させることを特徴とするコンピュータプログラム。」
第３　拒絶査定（以下、「原査定」という。）の理由について
１．原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　記
引用例１．特開２００７−２５７１６５号公報
引用例２．特開２０１３−１８６８０１号公報
引用例３．特開２０１２−１８１６８８号公報
引用例４．特開２０１２−０９８８０８号公報
引用例５．特開２０１４−２１１６４２号公報
２．原査定の理由の判断
　原査定の備考欄では、出願当初の請求項１に出願当初の請求項４の構成を追加した平成２８年２月２６日付け手続補正後の請求項１に係る発明に対して、出願当初の請求項４に対する拒絶理由通知に引用された引用例５に関する出願人の意見書における主張に対しての反論が記載されていることから、手続補正後の請求項１に対しては、引用例５を主引例として判断することが妥当であると認められるので、以下では、引用例５を主引例として検討することとする。
（１）引用例の記載事項
（１−１）引用例５
　原査定の拒絶の理由に引用例５として引用された特開２０１４−２１１６４２号公報には、「写真撮影編集機、写真撮影編集機の処理方法、並びにプログラム」として、図面とともに以下の事項が記載されている。
【００１０】
　本技術は、このような状況に鑑みてなされたものであり、利用者にとってより満足度の高い画像を提供することができるようにするとともに、その画像に対する編集の指示をより簡便に行えるようにすることができるようにするものである。
【発明の効果】
【００２９】
　本技術の一側面によれば、利用者にとってより満足度の高い画像を提供することができるようにするとともに、その画像に対する編集の指示をより簡便に行えるようになる。また、利用者によっては、多くの画像処理を行うことを面倒に感じることがあるが、本技術によれば、
撮影画像に多くの画像処理を施す
画像処理が施された撮影画像
【００３４】
　写真シール作成装置１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【０１５４】
　［撮影処理の例］
　次に、図１８、図１９のフローチャートを参照して、上述した写真シール作成ゲームの一連の処理におけるステップＳ２の撮影処理の流れの例を説明する。
【０１５９】
　撮影タイミングになったとき、ステップＳ３５において、撮影画像取得部３１４は、
カメラ９１を制御して
撮影を行い、静止画像である撮影画像（下カメラアップ画像）を取得する。
【０１６３】
　図１８のフローチャートに戻り、ステップＳ３６の後、ステップＳ３７において、進行制御部３１１は、
撮影を所定回数繰り返し行ったか否かを判定する。ステップＳ３７において撮影を所定回数行っていないと判定された場合、処理はステップＳ３３に戻り、上述の処理を繰り返し行う。具体的には、３回の下カメラアップ撮影が行われるまで、上述の処理が繰り返される。
【０１８７】
　図１９のステップＳ５３において、撮影パラメータ設定部３１２は、撮影画像に写る利用者の目のサイズや明るさなどの選択に用いられる選択画面を、タッチパネルモニタ９３に表示させ、
目のサイズや明るさなどを変更する変更処理を実行する。
【０２１２】
　［目のサイズや明るさの変更に関する変更処理について］
　図２９のフローチャートを参照し、図１９のステップＳ５３において実行される目のサイズや明るさの変更に関する変更処理について説明する。図２９を参照して説明する変更処理は、ここでは変更処理１と記述する。
【０２２０】
　なおここでは、
目の大きさや明るさの変更が行われるとして説明を続けるが、顔の大きさ、髪の毛の色、化粧の濃淡、肌の色なども変更できるようにしても良い。
【０２２１】
　なお、
目の大きさ、明るさ、顔の大きさ、髪の毛の色、化粧の濃淡、肌の色などの画像処理は、それぞれ顔の部位が認識され、その部分に対する処理が施されることで実現される。
目の大きさは、撮影された利用者の顔の領域から、目の領域を抽出し、その目の領域を拡大または縮小することで、目の大きさが変更される。
【０２２２】
　また、
顔の領域を抽出するようにした場合、その抽出した顔の領域を変更することで、顔の大きさを変更することができる。
顔の領域から、さらに髪の領域を抽出し、その抽出した領域内の色を変更することで、髪の毛の色を変更することができる。
【０２２３】
　さらに、同じように、
頬、額、鼻、顎といった領域を抽出するし、それぞれの領域内の色を、適切な色に変更することで、肌の色を調整することができる。
【０２２４】
　また、化粧の濃淡も、
頬を抽出し、その領域に頬紅を濃くまたは薄く塗る、目を抽出しアイラインを濃く入れる、または薄く入れるなどすることで行われる。
【０２２５】
　このように、
利用者が所望した画像処理
【０２３８】
　［目のサイズや明るさの変更に関する変更処理２について］
次に、目のサイズや明るさを決定するときの他の処理（ここでは、第２の変更処理と記述する）について説明する。図３１は、第２の変更処理について説明するためのフローチャートである。ステップＳ２０１において、撮影パラメータ設定部３１２は、撮影画像に写る利用者の目のサイズと明るさの選択に用いられる目サイズ、明るさ選択画面を、タッチパネルモニタ９３に表示させる。
【０２３９】
　図３２は、利用者自身が写されている撮影画像を使用して、被写体の目のサイズと明るさを一画面で選択することができる選択画面の例を示す図である。また、図３２に示した選択画面は、
それぞれの撮影画像に対して個別に目のサイズなどを設定できるように構成されている。
【０２４０】
　図３２に示した選択画面は、図３０に示した選択画面と基本的な構成は同様である。すなわち、図３２に示した選択画面には、撮影の結果得られた撮影画像５５１が表示される。例えば、
撮影を６回行ったときには、６枚の撮影画像が得られており、
【０２４１】
　選択画面の下側には、３つの目サイズ選択ボタン５５２−１乃至５５２−３が図中右側から順に表示される。これらの目サイズを変更するための目サイズ選択ボタン５５２−１乃至５５２−３の下側には明るさを選択するための明るさ選択ボタン５５３−１乃至５５３−５が表示されている。５つの明るさ選択ボタン５５３−１乃至５５３−５は、図中右側から順に表示され、明るさの異なるモデルがそれぞれ表示されている。
【０２４２】
　“ＯＫ”との表記がされた決定ボタン５５４は、目の大きさや明るさの変更を確定するときに操作されるボタンである。
【０２４３】
　図３２に示した選択画面には、さらにアンカー５５５が表示されている。
アンカー５５５は、変更対象とされている画像上に表示される。
アンカー５５５が位置している撮影画像（図３２の例の場合、撮影画像５５１−１）が編集対象とされ、例えば、目サイズ選択ボタン５５２−３が操作されたときには、撮影画像５５１−１内の利用者の目が、大きな目に変更され、利用者に提示される。
【０２４４】
　利用者は、アンカー５５５が位置している画像を見ることで、変更後の画像を確認することができる。さらに確認を行いやすいように、アンカー５５５が位置する撮影画像は、拡大されて表示されるようにしても良い。例えば、図３３に示すように、アンカー５５５が、撮影画像５５１−１に位置しているときには、その撮影画像５５１−１が拡大された拡大画像５６１が、画面中央に表示され、他の画像に重畳された状態で表示される。
【０２４５】
　このように拡大画像５６１を利用者に提示することで、利用者は、変更された目のサイズや明るさなどを確認しやすくなる。ここでは、このような拡大画像５６１が表示されるとして説明を続ける。
【０２４６】
　なお、拡大画像５６１は、中央に表示が限定されるのではなく、選択された撮影画像５５１（アンカー５５５が位置している撮影画像５５１）の下側などの近傍に表示されるようにしても良い。またその際、重畳されて表示されても良いし、重畳している部分が無い状態で表示されても良い。さらに、拡大画像５６１が表示される専用の領域を選択画面内に設け、その領域に、拡大画像５６１が表示されるようにしても良い。
【０２４７】
　図３１のフローチャートの説明に戻り、ステップＳ２０１において、図３２に示したような撮影画像に写る利用者の目のサイズと明るさの選択に用いられる選択画面が、タッチパネルモニタ９３に表示される。なお、デフォルトの画面として、
図３２に示した選択画面が表示され、利用者が、撮影画像５５１−１乃至５５１−６のなかから、いずれかの撮影画像５５１を選択する
【０２４８】
　または、図３３に示したような選択画面が、デフォルトの画面として表示されるようにしても良い。この場合、ステップＳ２０１においては、図３３に示したような選択画面が表示される。デフォルトの選択画面において拡大画像５３１は、左端に位置する撮影画像５５１−１、中央に位置する撮影画像５５１−３、または右端に位置する撮影画像５５１−６が拡大された画像とされる。
【０２４９】
　ステップＳ２０２において、変更対象の画像が選択されたか否かが判定される。
変更対象の画像が選択されたと判定された
【０２５０】
　なおここでは、１枚ずつ選択され、１枚ずつ処理が施される例を示して説明を続けるが、複数枚選択できるようにし、選択された複数枚の画像に対して目のサイズの変更や明るさの変更が施されるようにしても良い。
【０２５１】
　ステップＳ２０４において、目サイズの選択ボタンが操作されたか否かが判定される。このステップＳ２０４乃至Ｓ２１１までの処理は、図２９に示したフローチャートのステップＳ１５２乃至Ｓ１５９と同様に行われるので、その詳細な説明は省略する。ただし、以下の点が異なるため、異なる部分について説明を加える。
【０２５２】
　ステップＳ２０５において、撮影画像の目のサイズを変更するが、この場合、拡大画像５６１とその拡大画像５６１として表示されている撮影画像５１１の被写体の目のサイズのみが変更される。図２９を参照して説明した変更においては、一括して６枚の撮影画像の目のサイズが変更されるとして説明したが、図３２または図３３を参照して説明した変更においては、
変更対象とされている１枚の撮影画像の目のサイズが変更される。
【０２５３】
　同様に、ステップＳ２０８において、撮影画像の明るさを変更するが、拡大画像５６１とその拡大画像５６１として表示されている撮影画像５１１の明るさのみが変更され、変更対象とされていない他の撮影画像は、変更されない。
【０２５４】
　このように、
第２の変更処理においては、１枚ずつ目のサイズや明るさが変更できるように処理される。
【０２８８】
　［目のサイズや明るさの変更に関する変更処理５について］
次に、目のサイズや明るさを決定するときの他の処理（ここでは、第５の変更処理と記述する）について説明する。
第１乃至第４の変更処理においては、撮影画像内の被写体（利用者）が、複数人であっても、個別に目のサイズや明るさが設定されるのではなく、同じ変更が、複数の被写体に施される
【０２８９】
　第５の変更処理として、
複数の被写体が撮影されたときには、それぞれの被写体に対して、異なる変更を施すことが可能とした
目のサイズと顔の明るさの変更に加え、ヘアカラーと顔の大きさの変更も行える
【０２９０】
　図３８、図３９は、第５の変更処理について説明するためのフローチャートである。ステップＳ５０１において、
顔の切り出しが行われる。
選択画面を、タッチパネルモニタ９３に表示させる。
【０２９１】
　例えば、
撮影された撮影画像が６枚あるとき、その６枚の撮影画像のうちの所定の１枚が選択され、その選択された撮影画像から、被写体の顔の部分が切り出される。
【０２９２】
　選択画面の上部には、被写体画像表示部７０１と被写体画像表示部７０２が設けられている。
被写体画像表示部７０１，７０２に表示される画像は、ステップＳ５０１の処理で所定の撮影画像から切り出された被写体の画像である。
【０２９３】
　被写体画像表示部７０１の下側には、被写体画像表示部７０１に表示されている被写体の目の大きさや明るさなどを変更するための選択ボタンが表示されている選択ボタン表示部７０３が設けられている。同様に、被写体画像表示部７０２の下側には、被写体画像表示部７０２に表示されている被写体の目の大きさや明るさなどを変更するための選択ボタンが表示されている選択ボタン表示部７０４が設けられている。
【０２９４】
　選択ボタン表示部７０３内の選択ボタンと、選択ボタン表示部７０４内の選択ボタンは、同様なので、ここでは、選択ボタン表示部７０３内の選択ボタンについて説明を加える。まず、選択ボタン表示部７０３の上部には、３つの目サイズ選択ボタン７１１−１乃至７１１−３が図中右側から順に表示される。これらの目サイズを変更するための目サイズ選択ボタン７１１−１乃至７１１−３の下側には明るさを選択するための明るさ選択ボタン７１２−１乃至７１２−５が表示されている。
【０２９５】
　明るさ選択ボタン７１２−１乃至７１２−５の下側には、ヘアカラーを選択するためのヘアカラー選択ボタン７１３−１乃至７１３−５が表示されている。ヘアカラー選択ボタン７１３−１乃至７１３−５は、図中右側から順に、濃い色のヘアカラーから薄い色のヘアカラーに変更するボタンとされている。
【０２９６】
　ヘアカラー選択ボタン７１３−１乃至７１３−５の下側には、顔の大きさを選択するための顔サイズ選択ボタン７１４−１乃至７１４−３が表示されている。顔サイズ選択ボタン７１４−１乃至７１４−３は、図中右側から順に、自然な顔サイズ、小顔、小顔よりもさらに小顔（極小）に変更するボタンとされている。
【０２９７】
　“ＯＫ”との表記がされた決定ボタン５１５は、目の大きさなどの変更を確定するときに操作されるボタンである。このような構成の選択ボタン表示部７０３と同様のボタンとボタン配置を有する選択ボタン表示部７０４が、被写体画像表示部７０２に表示されている利用者用にも表示される。
【０２９８】
　このような選択画面が、ステップＳ５０２（図３８）において表示されると、ステップＳ５０３に処理が進められる。なお、ステップＳ５０３以降の処理は、選択ボタン表示部７０３内の選択ボタンが操作されたときと、選択ボタン表示部７０４内の選択ボタンが操作されたときとで、それぞれ独立して行われる。ここでは、選択ボタン表示部７０３内の選択ボタンが操作された場合を例に挙げて説明する。
【０２９９】
　ステップＳ５０３において、
目サイズの選択ボタンが操作されたか否かが判定される。
【０３００】
　ステップＳ５０４において、
撮影画像の目のサイズを変更するが、この場合、被写体画像表示部７０１に表示されている被写体と、全ての撮影画像に含まれる該被写体と同一の被写体の目のサイズを変更する。
【０３０１】
　なお、全ての撮影画像に対する変更は、決定ボタン５１５が操作された時点で行われるようにしても良い。すなわち後述するステップＳ５１６における処理で、全ての撮影画像に対する変更が行われるようにしても良い。
【０３０２】
　同様に、ステップＳ５０７において、撮影画像の明るさを変更するが、この場合、被写体画像表示部７０１と、表示はされていないが、この被写体画像表示部７０１に表示されている被写体を含む全ての撮影画像の被写体の明るさが変更される。
【０３０３】
　このように
目のサイズや明るさが変更されると同様に、ヘアカラーや顔サイズも変更される。
へアカラーの選択ボタンが操作されたか否かが判定される。
【０３０４】
　ステップＳ５１０において、撮影パラメータ設定部３１２は、タッチパネルモニタ９３から供給された情報に基づいて、ヘアカラーの色を選択する。ステップＳ５１０において、
利用者により選択されたヘアカラーの色に、被写体画像表示部７０１に表示されている被写体の画像が変更される。表示はされていないが、この被写体画像表示部７０１に表示されている被写体を含む全ての撮影画像の被写体のヘアカラーが変更される。
【０３０５】
　ステップＳ５１１において、撮影パラメータ設定部３１２は、ヘアカラーを変更した画像を被写体画像表示部７０１に表示し、ヘアカラーの変更結果を利用者に確認させる。このようなヘアカラーに関する処理が行われるか、またはステップＳ５０９において、ヘアカラー選択ボタン７１３−１乃至７１３−５のいずれも操作されていないと判定された場合、ステップＳ５１２に処理が進められる。
【０３０６】
　ステップＳ５１２において、利用者が、選択画面の
顔サイズ選択ボタン７１４−１乃至７１４−３のいずれかに対する操作（タッチ）を行ったか否かが判定される。
【０３０７】
　ステップＳ５１３において、撮影パラメータ設定部３１２は、タッチパネルモニタ９３から供給された情報に基づいて、顔のサイズを選択する。ステップＳ５１３において、撮影パラメータ設定部３１２は、
利用者により選択された顔のサイズの被写体になるように、被写体画像表示部７０１に表示されている被写体の画像を変更する。表示はされていないが、この被写体画像表示部７０１に表示されている被写体を含む全ての撮影画像の被写体の顔のサイズが変更される。
【０３０８】
　ステップＳ５１４において、撮影パラメータ設定部３１２は、顔のサイズを変更した被写体画像表示部７０１に表示し、顔サイズの変更結果を利用者に確認させる。このような顔サイズに関する処理が行われるか、またはステップＳ５１２において、顔サイズ選択ボタン７１４−１乃至７１４−３のいずれも操作されていないと判定された場合、ステップＳ５１５に処理が進められる。
【０３０９】
　ステップＳ５１５において、撮影パラメータ設定部３１２は、決定ボタン７１５が操作されたか否かをタッチパネルモニタ９３から供給された情報に基づいて判定し、操作されていないと判定した場合、ステップＳ５０３（図３８）に戻り、上述の処理を繰り返す。
【０３１０】
　一方、ステップＳ５１５において、決定ボタン７１５が操作されたと判定された場合、ステップＳ５１６において、撮影パラメータ設定部３１２は、被写体の目のサイズ、明るさ、ヘアカラー、顔のサイズを決定し、決定した各種の変更に関わる情報を記憶部２０２などに記憶させて保存する。
【０３１１】
　ステップＳ５１６の処理が終了すると、撮影処理は終了され、処理は図１７のステップＳ２に戻る。なお、目サイズ選択処理および明るさ選択処理は、撮影処理においてではなく、編集空間において行われる編集処理において実行されるようにしてもよい。
【０３１２】
　
なお、第１乃至第４の変更処理においても、ヘアカラーや顔サイズを変更するヘアカラー選択ボタン７１３や顔サイズ選択ボタン７１４と同様のボタン、または同様の機能を有する設定部を設けることで、第５の変更処理と同じく、ヘアカラーや顔サイズを変更することが可能である。
　上記記載（特に、下線で示した記載。なお、下線は当審が付したものである。）及び関連する図面並びにこの分野における技術常識を考慮すると、引用例５には、以下の発明（以下、「引用発明」という。）が開示されている。
　なお、引用発明のａ〜ｆについては、説明のために当審にて付したものである。（以下、「構成ａ」、・・・、「構成ｆ」という。）
ａ　カメラを制御して、撮影を所定回数行い、撮影画像を取得し、
ｂ　撮影された利用者の顔の領域を抽出し、さらに、目、髪、頬、額、鼻、顎の領域を抽出し、
ｃ　目の領域について拡大又は縮小によって目の大きさを変更し、
　　髪、頬、額、鼻、顎の領域について領域内の色を適切な色に変更し、
　　頬に頬紅を塗り、目にアイラインを入れることにより化粧を行うことにより、
　　利用者が所望する画像処理を行う写真撮影編集機において、
ｄ　撮影を６回行って得られた６枚の撮影画像のうち、利用者が１枚を変更対象として選択し、目の大きさ、明るさ、ヘアカラー、顔サイズについて、変更対象として選択された１枚の撮影画像の変更したい箇所を選択し、変更したい箇所に変更を施し、複数人であっても、同じ変更が施される第２の変更処理と、
ｅ　撮影を６回行って得られた６枚の撮影画像のうち、利用者が１枚を選択し、選択された撮影画像から、顔の部分を切り出し、切り出された被写体の画像を表示し、目の大きさ、明るさ、ヘアカラー、顔サイズについて、それぞれの被写体に対して、変更したい箇所を選択し、変更したい箇所に変更を施し、該被写体と、全ての撮影画像に含まれる該被写体と同一の被写体について変更する第５の変更処理
ｆ　を含む写真撮影編集機。
（１−２）引用例１
　原査定の拒絶の理由に引用例１として引用された特開２００７−２５７１６５号公報には、被験者の顔画像を取得し、肌、眉、目、唇領域の形状を取得し、肌、眉、目の形状と位置に基づいて、Ｔゾーンやコントロールカラーやアイシャドウ等のパターンが被験者に適合するように自動制御され、化粧アイテムごとのシミュレーション画像用パターンを順次重ね、化粧顔のシミュレーション画像を形成するメイクアップシミュレーションシステムが記載されている（段落０００７、０００８、００２０、００３３〜００４３を参照。）
（１−３）引用例２
　原査定の拒絶の理由に引用例２として引用された特開２０１３−１８６８０１号公報には、撮影画像から顔画像を検出し、顔画像から顔器官を検出し、顔器官の位置及び大きさに基づいて、顔器官に応じた実際のメイクの状態であるメイク支援情報を重ね合わせる画像処理装置が記載されている（請求項１、請求項２、段落００１４、００１５、００１８〜００２２、００２６、００２７を参照。）
（１−４）引用例３
　原査定の拒絶の理由に引用例３として引用された特開２０１２−１８１６８８号公報には、撮像画像の顔、顔パーツを認識し、顔パーツの位置、姿勢に対応させて化粧画像を変形させ、化粧画像をユーザの顔パーツに重畳する情報処理装置が記載されている（段落００２４、００２５、００２８、００３６、００３９〜００４９を参照。）。
（１−５）引用例４
　原査定の拒絶の理由に引用例４として引用された特開２０１２−９８８０８号公報には、顔画像を検出し、目、口、鼻等の顔の器官の特徴を検出し、メーキャップ基本形状を各特徴に応じて、大きさや形状を調整し、合成する画像処理装置が記載されている（段落００４３〜００４５、００４９、００５１、００５９、００６２〜００６４、００８１、００９５、０１０４を参照。）
（２）対比
　本願発明と引用発明を対比する。
（２−１）本願発明の構成Ａについて
　引用発明の構成ａの「撮影画像」は、カメラを制御して撮影されたものであるから、本願発明の構成Ａの「マトリクス状に配列した複数の画素からなる」「画像」に相当し、引用発明の構成ａは「撮影回数を所定回数行」うことから、取得された「撮影画像」は、本願発明の構成Ａのように、「一連の複数の画像」である。したがって、引用発明の構成ａは、本願発明の構成Ａに相当する。
（２−２）本願発明の構成Ｂについて
　引用発明の構成ｂの「目、髪、頬、額、鼻、顎」は、本願発明の「顔内の器官」に相当し、「顔の領域を抽出」及び「目、髪、頬、額、鼻、顎の領域を抽出」するためには、当該領域がどこであるかを特定する必要があるので、本願発明の構成Ｂのように、「取得された複数の画像に撮影されている人物の顔及び該顔内の器官の領域を特定する特定手段とを備え」ているものである。
（２−３）本願発明の構成Ｃについて
　引用発明の構成ｃは、
「目の領域について拡大又は縮小によって目の大きさを変更し、
　髪、頬、額、鼻、顎の領域について領域内の色を適切な色に変更し、
　頬に頬紅を塗り、目にアイラインを入れることにより化粧を行うことにより、
　利用者が所望する画像処理を行う」
構成を含むものであるが、撮影画像に対して、目の大きさや色を変更したり、頬紅を塗るとかアイラインを入れることにより化粧を行うということは、顔の領域の一部の領域の大きさや色を異なる大きさや色に変更することであるから、本願発明の構成Ｃのように、「予め記憶されているリップ、チーク、カラーコンタクト、アイライン、又はつけまつげの写真画像である化粧用画像を前記特定手段により特定された領域に重畳させる」ものではないが、特定された領域に画像処理を行うという点で共通するものである。
　また、引用発明の構成ｃの「写真撮影編集機」は、「画像処理を行う」ものであるから、本願発明の構成Ｃの「画像処理装置」に相当する。
　したがって、引用発明の構成ｃと、本願発明の構成Ｃは、「前記特定手段により特定された領域に画像処理を行う画像処理装置」という点で共通する。
（２−４）本願発明の構成Ｄ〜構成Ｆについて
　引用発明は、上記（２−２）で検討したように、本願発明の構成Ｂのように、「取得された複数の画像に撮影されている人物の顔及び該顔内の器官の領域を特定する特定手段」を備えるものであるが、当該特定手段が特定した領域に基づき、化粧用画像の位置、大きさ、角度を決定し、化粧用画像を拡縮又は回転して変形し、変形された化粧用画像を記憶するものではなく、引用発明は、本願発明の構成Ｄ、構成Ｅ、構成Ｆに対応する構成を有しない。
（２−５）本願発明の構成Ｇについて
　引用発明は、構成ｅの「第５の変更処理」、構成ｄの「第２の変更処理」という複数の変更処理を含むものであり、構成ｅの「第５の変更処理」は、各被写体の顔の領域に対して、個別に変更しているものであるから、「画像内で特定された複数の人物の顔の領域の内の１つを個別に選択する」点で、本願発明の構成Ｇと共通し、構成ｄの「第２の変更処理」は、各被写体の顔の領域に対して、同じ変更が施されるものであるから、「複数の画像の内の１つの画像毎に、」化粧させる「対象として画像内で特定された」「複数の人物の顔の領域全てとする」点で共通するといえる。
　しかし、引用発明の構成ｅの「第５の変更処理」は、全ての撮影画像に含まれる同一の被写体について変更するものであるから、本願発明の構成Ｇのように、「複数の画像の内の１つの画像毎に、」「画像内で特定された複数の人物の顔の領域の内の１つを個別に選択する」構成を有しておらず、さらに、引用発明は、「第２の変更処理」と「第５の変更処理」のいずれを選択するかを受け付ける選択手段を有するものではなく、引用発明は、本願発明の構成Ｇに対応する「個別／全部選択手段」を有しない。
（２−６）本願発明の構成Ｈ、構成Ｉについて
　上記（２−５）で検討したように、引用発明は、本願発明の構成Ｇ、すなわち、個別／全部選択手段を有する構成ではないため、該個別／全部選択手段での選択に応じて行う手段である本願発明の構成Ｈ、構成Ｉに対応する構成を有しない。
（２−７）本願発明の構成Ｊについて
　上記（２−３）で検討したように、引用発明の「写真撮影編集機」は、「画像処理を行う」ものであるから、本願発明の「画像処理装置」に相当する。
　したがって、本願発明と引用発明は、以下の点で一致ないし相違する。
［一致点］
　マトリクス状に配列した複数の画素からなる一連の複数の画像を取得する手段と、
　取得された複数の画像に撮影されている人物の顔及び該顔内の器官の領域を特定する特定手段とを備え、
　前記特定手段により特定された領域に画像処理を行う画像処理装置。
［相違点１］
　特定された領域に画像処理を行うことに関して、本願発明は、「予め記憶されているリップ、チーク、カラーコンタクト、アイライン、又はつけまつげの写真画像である化粧用画像を重畳させる」のに対し、引用発明は、「目の領域について拡大又は縮小によって目の大きさを変更し、髪、頬、額、鼻、顎の領域について領域内の色を適切な色に変更し、頬に頬紅を塗り、目にアイラインを入れることにより化粧を行うことにより、利用者が所望する画像処理を行う」ものである点。
［相違点２］
　本願発明は、「前記複数の画像夫々について、該画像に写っている人物が複数である場合、複数の顔領域に対し、前記特定手段が特定した領域に基づき、該特定した領域に対応する化粧用画像の前記画像上の位置、大きさ、又は角度を決定する決定手段」を備えるのに対し、引用発明は、そのような「決定手段」を有しない点。
［相違点３］
　本願発明は、「該決定手段が決定した大きさ又は角度に基づき、前記特定した領域に対応する化粧用画像の一部又は全部を拡縮又は回転して変形する変形手段」を備えるのに対し、引用発明は、そのような「変形手段」を有しない点。
［相違点４］
　本願発明は、「前記決定手段が決定した位置及び前記変形手段で変形された化粧用画像を記憶する手段」を備えるのに対し、引用発明は、そのような「記憶する手段」を有しない点。
［相違点５］
　本願発明は、「複数の人物からの個別の操作を受け付ける画面上にて夫々、前記複数の画像の内の１つの画像毎に、前記化粧用画像の重畳対象として画像内で特定された複数の人物の顔の領域の内の１つを個別に選択するか、前記複数の人物の顔の領域全てとするかの選択を受け付ける個別／全部選択手段」を備えるのに対し、引用発明は、そのような「個別／全部選択手段」を有していない点。
［相違点６］
　本願発明は、「該個別／全部選択手段にて個別に選択することが選択された場合に、前記１つの画像に写っている前記複数の顔領域の内、重畳対象とする顔領域を１つずつ切り替える切替手段」を備えるのに対し、引用発明は、そのような「切替手段」を有していない点。
［相違点７］
　本願発明は、「前記個別／全部選択手段にて受け付けた選択に応じて全ての顔領域又は前記切替手段により切り替えられた１つの重畳対象の顔領域に対し、前記決定手段により決定した位置に、変形された化粧用画像を重畳させる重畳手段」を備えるのに対し、引用発明は、そのような「重畳手段」を有していない点。
（３）判断
（３−１）相違点１〜４について
　上記相違点１に係る本願発明の「予め記憶されているリップ、チーク、カラーコンタクト、アイライン、又はつけまつげの写真画像である化粧用画像」は、相違点４に係る「記憶する手段」に記憶された化粧用画像のことであり、本願の記憶する手段に記憶された化粧用画像は、相違点２に係る「決定手段」が決定した大きさ又は角度に基づき、相違点３に係る「変形手段」で変形された化粧用画像である。
　すなわち、本願発明は、要約すると、『決定手段、変形手段、記憶する手段を備え、決定手段が決定した大きさ又は角度に基づき、変形手段で変形され、記憶する手段に記憶された化粧用画像を顔の領域の画像に重畳させる』ものである。
　一方、上記相違点１に係る引用発明の「目の領域について拡大又は縮小によって目の大きさを変更し、髪、頬、額、鼻、顎の領域について領域内の色を適切な色に変更し、頬に頬紅を塗り、目にアイラインを入れることにより化粧を行うことにより、利用者が所望する画像処理を行う」ことは、上記（２−３）で検討したように、顔の領域の画像の一部の領域の大きさや色を異なる大きさや色に変更することにより、画像処理を行うことである。
　したがって、上記相違点１〜４は、特定された領域に画像処理を行うことに関して、本願発明では、『決定手段、変形手段、記憶する手段を備え、決定手段が決定した大きさ又は角度に基づき、変形手段で変形され、記憶する手段に記憶された化粧用画像を顔の領域の画像に重畳させる』のに対し、引用発明では、『顔の領域の画像の一部の領域の大きさや色を異なる大きさや色に変更することにより、画像処理を行う』点で相違するものと要約することができる（以下、「相違点Ａ」という。）。
　上記相違点Ａに関し、引用例１には、肌、眉、目の形状と位置に基づいて、Ｔゾーンやコントロールカラーやアイシャドウ等のパターンが被験者に適合するように自動制御され、パターンが順次重ねられる技術が記載され、
　引用例２には、顔器官の位置及び大きさに基づいて、顔器官に応じた実際のメイクの状態であるメイク支援情報を重ね合わせる技術が記載され、
　引用例３には、顔パーツの位置、姿勢に対応させて化粧画像を変形させ、化粧画像をユーザの顔パーツに重畳する技術が記載され、
　引用例４には、目、口、鼻等の顔の器官の特徴を検出し、メーキャップ基本形状を各特徴に応じて、大きさや形状を調整し、合成する技術が記載されている。
　したがって、引用例１〜４には、ユーザの顔の器官の領域を特定し、当該人物の器官に合わせて大きさ等を変形した化粧用画像を重畳する技術が開示されているといえる。
　ここで、ユーザの顔に重畳するのであるから、重畳した際に違和感を無くすために、化粧用画像として写真画像を使用することも、当業者が適宜なし得るものである。
　すなわち、引用発明における『顔の領域の画像の一部の領域の大きさや色を異なる大きさや色に変更することにより、画像処理を行う』ことにおいて、引用例１〜４に記載された技術を用いることにより、変更する箇所についての大きさ等を決定し、該決定に基づき変形し、変形した化粧用画像を顔の領域の画像に重畳させるようにすることに関しては、容易に想到し得ると判断できる。
　
　しかしながら、本願発明の「決定手段」は、「前記複数の画像夫々について、該画像に写っている人物が複数である場合、複数の顔領域に対し、」決定するものであるから、取得した全ての画像の全ての人物に対して、化粧用画像の画像上の位置、大きさ、又は角度を決定するものである。
　それに対し、引用発明における画像処理では、第２の変更処理のように、「変更対象として選択された１枚の撮影画像」において「複数人であっても、同じ変更が施される」場合には、当該選択された１枚の撮影画像内の全ての人物に対して、変更をするものであり、また、第５の変更処理のように、「切り出された被写体」において「全ての撮影画像に含まれる該被写体と同一の被写体について変更する」場合には、全ての撮影画像における当該切り出された被写体に対応する人物に対して、変更をするものである。
　してみれば、第２の変更処理において選択されなかった撮影画像の人物や、第５の変更処理における切り出された被写体以外の人物のような、『変更する対象でなかった人物』については、何ら変更処理に係る制御を行わないものである。
　したがって、引用発明に、引用例１〜４に記載された技術を用いた場合を想定しても、『変更する対象の人物』についての化粧用画像の位置等を決定するのみであり、撮影画像に存在するが『変更する対象でなかった人物』についてまでも、化粧用画像の位置等を決定するような決定手段、すなわち、『取得した全ての画像の全ての人物』に対して決定する本願発明のような決定手段は、想定できないものである。
　さらには、本願発明の「変形手段」についても、本願発明の決定手段が決定した大きさ又は角度に基づき、変形するものであり、『取得した全ての画像の全ての人物』に対して変形するものであって、本願発明の「記憶する手段」についても、本願発明の変形手段で変形された化粧用画像を記憶するものであり、『取得した全ての画像の全ての人物』に対しての変形された化粧用画像を予め記憶するものであるから、『変更する対象でなかった人物』を含む引用発明に、引用例１〜４に記載された技術を用いた場合を想定しても、『取得した全ての画像の全ての人物』を対象とする「変形手段」や「記憶する手段」は、同様に、想定できないものである。
　したがって、引用発明及び引用例１〜４に記載された技術を勘案しても、上記相違点Ａに係る構成を思い至ることは、論理に飛躍があり、容易に想到できるといえない。
（３−２）相違点５〜７について
　本願発明は、上記相違点５に係る「個別／全部選択手段」を備えることに起因して、当該個別／全部選択手段での選択に応じて行う手段である上記相違点６に係る「切替手段」、上記相違点７に係る「重畳手段」を備えているものである。
　したがって、上記相違点５〜７をまとめると、本願発明は、「個別／全部選択手段」を備え、当該個別／全部選択手段での選択に応じて行う手段である「切替手段」、「重畳手段」を備えるのに対し、引用発明は、そのような「個別／全部選択手段」、「切替手段」、「重畳手段」を有していない点で相違する（以下、「相違点Ｂ」という。）。
　ここで、１つの文献中に複数の処理が開示されている場合に、それらのいずれの処理を行うかの選択手段を設ける程度のことは、周知の技術であるから、引用発明における「第２の変更処理」と「第５の変更処理」のいずれかを選択する選択手段を設ける程度のことは、当業者が容易に想到し得るものであるが、上記（２−５）で検討したように、「第５の変更処理」は、全ての撮影画像に含まれる同一の被写体について変更するものであるから、本願発明のように、「複数の画像の内の１つの画像毎に、」「画像内で特定された複数の人物の顔の領域の内の１つを個別に選択する」構成を有していないため、本願発明の「個別／全部選択手段」を想定することができず、さらには、当該個別／全部選択手段での選択に応じて行う手段である「切替手段」、「重畳手段」を想定することはできない。
　そして、引用例１ないし４をみても、そのような「個別／全部選択手段」については、開示されておらず、更には、「切替手段」、「重畳手段」についても、開示されていない。
　したがって、引用発明及び引用例１〜４に記載された技術を勘案しても、上記相違点Ｂに係る構成を思い至ることは、論理に飛躍があり、容易に想到できるといえない。
（４）小活
　したがって、本願発明は、当業者が引用発明及び引用例１〜４に記載された技術に基づいて容易に発明をすることができたとはいえない。
　本願の請求項２〜６に係る発明についても、上記相違点に係る構成を全て有しているものであるので、本願発明と同様に、当業者が引用発明及び引用例１〜４に記載された技術に基づいて容易に発明をすることができたとはいえない。
第４　当審拒絶理由について
１．当審拒絶理由の概要
理由１
　この出願の請求項１〜６に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。 
 　 
 　　　　　記　 
刊行物１．特開２０１４−２１１６４２号公報 
刊行物２．特開２０１２−１８１６８８号公報 
刊行物３．特開２０１２−９８８０８号公報 
　　
理由２
　この出願は、特許請求の範囲の記載が下記の点で、特許法第３６条第６項第１号、第２号に規定する要件を満たしていない。 
 　 
 　　　　　　　　　　　　　　　　　記 
（１）請求項１について 
　「予め記憶されている化粧用画像を特定された領域に重畳させる」という記載では、課題を解決しない構成を含むものとなり、発明の詳細な説明に記載された発明でなく、また、発明の詳細な説明との対応も明瞭でない。 
　請求項１の記載によれば、個別／全部選択手段の受け付けた選択に応じて、大きさや角度を決定し、決定した大きさや角度に基づいて変形し、重畳させるものであり、発明の詳細な説明に記載された発明でなく、また、発明の詳細な説明との対応も明瞭でない。 
  
（２）請求項２について 
　「前記重畳手段」、「前記化粧用画像」、「前記画像」、「前記個別／選択手段」とあるが、対応する記載がなく、発明が明瞭でない。 
　また、請求項１を引用するのであれば、「個別／選択手段」は、「個別／全部選択手段」の誤記である。 
  
（３）請求項３について 
　発明の詳細な説明では、「重畳される前」に、化粧用画像を、段階順又は逆順に前記表示手段に表示させているものではないため、発明の詳細な説明に記載された発明でなく、また、発明の詳細な説明との対応も明瞭でない。　発明の詳細な説明では、重畳されている画像を差し替える構成であり、発明の詳細な説明に記載された発明でなく、また、発明の詳細な説明との対応も明瞭でない。 
　「複数段階に変更させ」ることが、どの時点で行われているのかが明確でない。 
　「多少」とは、何が「多」いもしくは「少」ないことであり、具体的に、化粧用画像がどのような状態となっていることを指すのか不明である。 
　「段階順又は逆順」とあるが、それぞれどのような順序を指すのか不明である。 
２．当審拒絶理由の判断
（１）理由１について
（１−１）刊行物の記載事項
　当審拒絶理由に引用された刊行物１、２、３は、それぞれ、拒絶査定時の引用例５、３、４であり、その記載内容は、上記第３　２．（１）（１−１）（１−４）（１−５）のとおりである。
（１−２）対比・判断
　本願発明と刊行物１に記載された発明の対比は、上記第３　２．（２）と同様であり、判断についても、上記第３　２．（３）と同様である。
（１−３）理由１についてのまとめ
　したがって、本願発明は、当業者が刊行物１〜３に基づいて容易に発明をすることができたものとはいえなくなった。
　本願の請求項２〜６に係る発明についても、本願発明と同様に、当業者が刊行物１〜３に基づいて容易に発明をすることができたものとはいえなくなった。
（２）理由２について
（２−１）請求項１について
　平成２８年１０月２８日付け手続補正によって、請求項１は、「予め記憶されているリップ、チーク、カラーコンタクト、アイライン、又はつけまつげの写真画像である化粧用画像」が、「前記決定手段が決定した位置及び前記変形手段で変形された化粧用画像を記憶する手段」で記憶された「変形された化粧用画像」であり、「前記個別／全部選択手段にて受け付けた選択に応じて全ての顔領域又は前記切替手段により切り替えられた１つの重畳対象の顔領域に対し、前記決定手段により決定した位置に、変形された化粧用画像を重畳させる」構成となり、選択手段で処理の対象の顔領域が定められることが明確となったので、発明の詳細な説明に記載された発明となり、発明の詳細な説明との対応も明瞭となった。
（２−２）請求項２について
　平成２８年１０月２８日付け手続補正によって、請求項２は、請求項１を引用する発明となり、「個別／選択手段」は、「個別／全部選択手段」と補正され、発明が明瞭となった。
（２−３）請求項３について
　平成２８年１０月２８日付け手続補正によって、請求項３は、「重畳される前又は重畳された後」、「多少」、「段階順又は逆順」という記載が「重畳された後」、「ボリュームの多少」、「段階順」に補正され、それぞれの記載が明瞭となり、また、発明の詳細な説明に記載された発明となり、発明の詳細な説明との対応も明瞭となった。
　よって、当審拒絶理由の理由２は解消した。
（３）まとめ
　したがって、当審拒絶理由の理由１及び理由２は解消した。
第５　むすび
　以上のとおり、原査定の理由によっては、本願を拒絶することができない。
　また、他に本願を拒絶すべき理由を発見しない。
　よって、結論のとおり審決する。